(57)【要約】【課題】  電気掃除機のコスト低減、不良率低下、リサイクル性向上、支持体の安定した動作を図る。【解決手段】  上ケース、下ケースにより外郭を構成し、内部の前側に集塵室、内部の後側に電動送風機を有する掃除機本体と、塵埃吸込口を有する袋支持部材と該袋支持部材に接合される袋部材とからなり前記集塵室に装着される集塵フィルターと、該集塵フィルターを前記集塵室に装着するために前記集塵室に回動自在に設けられた支持体とを備え、該支持体を掃除機本体後方側へ付勢させる弾性体を支持体と一体化する。【選択図】  図１
2005348977.tif 000002
【特許請求の範囲】
【請求項１】
上ケース、下ケースにより外郭を構成し、内部の前側に集塵室、内部の後側に電動送風機を有する掃除機本体と、塵埃吸込口を有する袋支持部材と該袋支持部材に接合される袋部材とからなり前記集塵室に装着される集塵フィルターと、該集塵フィルターを前記集塵室に装着するために前記集塵室に回動自在に設けられた支持体とを備え、前記支持体と一体化された、該支持体を掃除機本体後方へ付勢させる弾性体を設け、更に、前記支持体には、前記袋支持部材を挿入する支持体挟持部とを有することを特徴とする電気掃除機。
【請求項２】
請求項１において、前記支持体と一体化された、該支持体を掃除機本体後方へ付勢させる弾性体を、少なくとも前記集塵吸込口に対して対称に、前記支持体の両側に設けたことを特徴とする電気掃除機。
【請求項３】
請求項１ないし請求項２のいずれかにおいて、前記弾性体の先端を根元に対して、太くしたことを特徴とする電気掃除機。
【請求項４】
請求項１から、請求項３のいずれかにおいて、前記傾斜部の傾斜角度を５°〜４５°の範囲に設定したことを特徴とする電気掃除機。
【発明の詳細な説明】
【技術分野】
【０００１】
本発明は、電気掃除機に関するものである。
【背景技術】
【０００２】
従来の電気掃除機は、例えば特開平7−171077号公報のように、掃除機本体の下ケースに、集塵フィルターの口板を回動自在に保持する回動支持体を設け、この回動支持体に集塵フィルターの口板を挿入することにより、集塵フィルターを掃除機本体の集塵室に装着するようにした技術が開示されている。そして、回動支持体の回動軸近傍にはコイルバネを設け、回動支持体を下ケースに形成したホース接続部側に付勢させて、集塵フィルターの口板をホース接続部のタイトパッキンに接触させることにより、ゴミ漏れを防止するようにしている。
【０００３】
更に、特開平13−29286号公報では、支持体に袋支持部材を挿入する支持体に袋支持部材を挿入する支持体挟持部を設け、この支持体挟持部の隙間が下部よりも上部を広く形成したので、集塵フィルターを容易に位置決めすることができ、集塵フィルターの集塵室への装着を容易に行うことができるようにしている。
【０００４】
【特許文献１】特開平7−171077号公報
【特許文献２】特開平13−29286号公報
【発明の開示】
【発明が解決しようとする課題】
【０００５】
しかしながら、上記特開平7−171077号公報、及び特開平13−29286号公報に記載の技術では、支持体とコイルバネが別部品となっている為、製造過程におけるバネの付け忘れによる不良、バネのコストが高い、又、支持体の片端にバネが、一つしか付いていない為、回動支持体の動作が悪くなるとう欠点や、更に、メッキの施されたバネと、支持体が同一部品となっているため、リサイクル性に関しても問題点があった。
【課題を解決するための手段】
【０００６】
上記の目的を達成するために本発明の特徴とするところは、上ケース、下ケースにより外郭を構成し、内部の前側に集塵室、内部の後側に電動送風機を有する掃除機本体と、塵埃吸込口を有する袋支持部材と該袋支持部材に接合される袋部材とからなり前記集塵室に装着される集塵フィルターと、該集塵フィルターを前記集塵室に装着するために前記集塵室に回動自在に設けられた支持体とを備え、該支持体を掃除機本体後方側へ付勢させる弾性体を支持体と一体化した点にある。
【発明の効果】
【０００７】
本発明によれば、支持体にを付勢する弾性体を、支持体と同一化することにより、従来のものよりも、製造時のバネの付け忘れに伴う不良や、コストを少なくすることが出来、又、支持体の両端に弾性体を均等に配置することにより、均等に支持台に力を加えることができるので、安定した支持台の回転が期待できる。更に、弾性体の先端を太くすることにより、摩耗により、先端が減少しも影響の無いようにしている。また、支持体を５゜〜４５゜の範囲で傾けられるようにすることで、集塵フィルターの集塵室への装着を容易に行うことができる。
【発明を実施するための最良の形態】
【０００８】
以下、本発明の実施の形態の一例を添付の図面に基づいて説明する。
【０００９】
図７は本発明の実施の形態の一例に係る電気掃除機の全体外観図である。７０１は電動送風機、集塵室を収容する掃除機本体、７０２は掃除機本体の集塵室と連通するように掃除機本体の前部に接続されるホース継手、７０３は一端側がホース継手に接続されるホース、７０４はホース７０３の他端側が接続される内部に吸込通路を有する手元操作部、７０５は一端側が手元操作部に接続される伸縮可能な延長管、７０６は延長管７０５の他端側に接続され、内部に回転清掃体を有する吸口体である。手元操作部７０４のスイッチ手段７０４ａを使用者が操作することにより、電動送風機が運転を始めて吸込気流を発生し、吸口体７０６から被掃除面の塵埃を吸込み、延長管７０５、手元操作部７０４、ホース７０３を介して掃除機本体７０１の集塵室に集塵される。
【００１０】
図４は本発明の実施の形態の一例に係る電気掃除機の本体断面図である。掃除機本体７０１の内部には、後方に電動送風機４０１を、前方に集塵室４０２を有している。さらに掃除機本体７０１の前部には、ホース継手７０２が接続されるホース接続部４０３が形成されており、集塵室４０２はこのホース接続部４０３を介して外部と連通している。また、集塵室４０２の前部には使い捨て式の集塵フィルター４０４が装着されている。この集塵フィルター４０４は厚紙等で形成され、塵埃吸込口を有する袋支持部材４０４ａと、この袋支持部材４０４ａの裏面側（後側）に接合されると共にエレクトレット不織布と不織布等を複数層重ね合わせて形成した袋部材４０４ｂより構成されている。５０１は後述する下ケース５０２と組み合わされ、掃除機本体７０１の外郭を形成する上ケースである。図５は図４における掃除機本体の前部分の要部拡大図である。図５において、掃除機本体７０１の下部外郭を形成する下ケース５０２には、この下ケース５０２に対して回動自在に設けた支持体５０３が設けられている。
【００１１】
集塵フィルター４０４の袋支持部材４０４ａは、その下端部の一部及び側面の一部を支持体５０３により挟持され、その上端部の一部がクランプ５０４の爪５０４ａに係合することにより、集塵室４０２に固定されている。ホース接続部４０３の集塵室４０２側には、パッキン５０５を設けられており、袋支持部材４０４ａに形成した塵埃吸入口からの塵埃の漏れを防止している。
【００１２】
図６は図４における本体断面の吸込口部分の拡大図であり、集塵フィルター４０４をクランプ５０４から外した状態を示している。
【００１３】
図６において、袋支持部材４０４ａをクランプ５０４の爪５０４ａから外すと、集塵フィルター４０４は後述する弾性体１８０１により支持体５０３と共に吸込口４０３の反対方向へ回動する。また、クランプ５０４は上方向に付勢されたクランプバネ６０１によりクランプ５０４の前側が付勢され、爪５０４ａが集塵室４０２の下方向に向くように回動する。この状態では蓋体６０２の当接リブ６０３がクランプ５０４の上部に当たり、蓋体６０２が閉じることにないようにしている。これにより、集塵フィルター４０４が正規の位置に装着されていない場合や、装着し忘れた場合において、掃除機が運転されることがないようにしている。以下、図１〜図３を用いて、集塵フィルター４０４の着脱方法を説明する。
【００１４】
図１は図６における蓋体６０２を開けた状態を示しており、この状態で使用者は集塵フィルター４０４の交換を行う。まず、集塵フィルター４０４を取り出す際、使用者は袋支持部材４０４ａの上端部１０１を持って支持体５０３から引き出すが、支持体５０３の上部１０２よりも袋支持部材４０４ａの上端部１０１が突出しているので、容易に袋支持部材４０４ａの上端部１０１を持って集塵フィルター４０４を取り出すことができる。本実施の形態の支持体５０３は、ホース接続部４０３に対して０°〜１４°の範囲で回動可能なように構成している。この回動範囲は、狭いと集塵フィルター４０４の交換する際袋支持部材４０４ａがクランプ５０４に当接しまい、逆に広すぎると袋支持部材４０４ａを支持体５０３に装着しにくい。そのため、上限として０°〜２０°の範囲内で回動するようにするとよい。
【００１５】
次に、図３を用いて、集塵フィルター４０４を支持体５０３に装着する方法を説明する。図３において、支持体５０３には、掃除機本体７０１の前側に位置し袋支持部材４０４ａの前側を支持する前支持部５０３ａと、掃除機本体７０１の後側に位置し袋支持部材４０４ａの後側を支持する後支持部５０３ｂが備えられ、さらにこの袋支持部材４０４ａと支持部５０３ｂとで形成される支持体挟持部３０２を備えている。支持体５０３の上部１０２は、掃除機本体７０１の前方から後方にかけて、後方側が下になるように傾斜部３０１が設けられている。そして、この傾斜部３０１により、支持体５０３の上部１０２の幅は、集塵フィルター４０４の袋支持部材４０４ａが支持体５０３に装着しやすいように広く形成されている。本実施の形態では、傾斜部３０１の傾斜角度を支持体５０３に対して約３８°に設定している。傾斜角度はこの角度に限定されるものではなく、５°〜４５°の範囲で適宜設定すればよい。また、傾斜部３０１を設ける位置を支持体５０３の上部１０２に限らず、支持体５０３の前支持部５０３ａの全体に亘って、すなわち支持体５０３の上部１０２から下端部に向けて次第にその隙間が狭くなるように傾斜させるようにしてもよい。この場合、隙間が広すぎると袋支持部材４０４ａを十分に保持できないので、その傾斜角度を３°〜１０°の範囲に設定するとよい。また、前支持部５０３ａと後支持部５０３ｂの両方をそれぞれ傾斜、すなわち、支持体５０３の上部１０２を下端部より広くしその隙間が次第に狭くなるように形成してもよい。この場合においても、前述と同様傾斜角度を３°〜１０°の範囲に設定するとよい。
【００１６】
集塵フィルター４０４を支持体５０３に装着する際には、集塵フィルター４０４の袋支持部材４０４ａを掃除機本体７０１に対して傾斜させて、袋支持部材４０４aの下端部を支持体５０３の傾斜部３０１に沿わせるようにする。その後、図２に示すように、袋支持部材４０４ａの上端部を掃除機本体７０１の後方側に移動させ、集塵フィルター４０４の袋支持部材４０４ａと支持体５０３とが略一直線上となるようにする。この状態で袋支持部材４０４ａを支持体挟持部３０２内に挿入させ(図１)、支持体５０３を吸込口４０３側(掃除機本体７０１の前側)へ回動させることにより、袋支持部材４０４ａの上端部とクランプ５０４の爪５０４ａとを係合させて集塵フィルター４０４を固定する。
【００１７】
本実施の形態では、支持体５０３の一部分である上部１０２に、掃除機本体７０１の前方から後方にかけて後方側が下になるように傾斜部３０１を設けているので、集塵フィルター４０４の袋支持材４０４ａを容易に位置決めすることができ、集塵フィルター４０４の集塵室４０２への装着を容易に行うことができる。
【００１８】
また、支持体上部１０２が集塵室４０３の上方にあるため、使用者から見やすく位置決めするのに適している。さらに、袋支持部材４０４ａの上端部を掃除機本体７０１の後方側に移動させ、集塵フィルター４０４の袋支持部材４０４ａと支持体５０３とが略一直線上となるようにすると、後は袋支持部材４０４ａを上方から押すだけで支持体５０３に沿って正規の位置へ挿入されるため使用者は容易にかつ、確実に正規の位置に集塵フィルター４０４を装着することができる。図１１は図２におけるＳ部の拡大図であり、図１２は図２におけるＳ部の拡大図における集塵フィルター４０４が挿入途中の状態を示す図である。図１１及び図１２において、支持体５０３の支持体側面１４０２は、支持体５０３の集塵フィルター側挟持面１４０１の上端部よりも上方向に突出させて設けられている。支持体側面１４０２には、集塵フィルター４０４の挿入時に、集塵フィルター４０４の袋支持部材４０４ａと袋部材４０４ｂとが離れるようにガイドする傾斜面が形成されている。集塵フィルター４０４を支持体５０３に挿入すると、集塵フィルター４０４の両側面１４０３は支持体側面１４０２を乗り越え集塵フィルター側挟持面１４０１の外側へ移動する。
【００１９】
これにより集塵フィルター１４０３が支持体挟持部３０２に挟み込まれ、集塵フィルター１４０３の広がりが阻害されたり集塵フィルターが破れることを防止することができる。
【００２０】
図８は図４におけるＡ−Ａ断面を示す図である。支持体５０３の吸込口側挟持面３０２は袋支持部材４０４ａの塵埃吸入口１１０１の外周１１０２に設けており掃除機本体７０１に設けた吸込口４０３（図示せず）とパッキン５０５（図示せず）を避けるように形成している。また、外周を大きく湾曲させた湾曲部１１０２を形成しているので、支持体５０３自体の強度を確保することができる。
【００２１】
図９は図８における集塵フィルター４０４周辺の拡大図である。支持体５０３は、集塵フィルター４０４に備えた袋支持部材４０４ａの塵埃吸入口１１０１の水平方向中心位置１２０１よりも上方まで挟持しているので、集塵フィルター４０４を長期間使用した場合に、塵埃の漏れを防止するパッキン５０５（図示せず）の弾性や袋支持部材４０４ａが吸湿して剛性の低下により袋支持部材404aが変形しても、その変形量は支持体挟持部３０２（図示せず）の幅で規制されるため、塵埃が漏れることが防止できる。また、何らかの理由で袋支持部材４０４ａが変形した状態でも支持体５０３に挿入することにより袋支持部材４０４ａは矯正され正規の状態で掃除機本体に装着することができる。
【００２２】
支持体５０３の幅方向の両側には、回動規制リブ１２０２が設けてあり、支持体５０３の掃除機本体後方側への回動を規制している。
【００２３】
図１０は図４におけるＰ視図である。支持体５０３の支持体挟持部３０２の内側には複数個のリブ１３０４が設けてあり、塵埃が袋支持部材４０４ａから漏れ支持体５０３挿入部内に残留しても袋支持部材４０４ａと支持体挟持部３０２の吸込口側との間には隙間が構成されているので、袋支持部材４０４ａの摺動抵抗が増加することなく集塵フィルター４０４の交換ができる。また、支持体挟持部３０２の吸込口側の面と袋支持部材４０４ａが直接面同士で摺動することがないので、摩擦抵抗が少なく通常の状態でも集塵フィルター４０４の交換の操作を容易に行うことができる。
【００２４】
また、支持体５０３の回動規制リブ１２０２は、支持体回動軸１３０１よりも吸込口４０３側（掃除機本体前側）に設けており、下ケース５０２の支持体回動軸１３０１よりも吸込口４０３側に設けた壁面部１３０２に当接することにより、支持体５０３の掃除機本体後側への回動を規制している。そして、クランプ５０４に袋支持部材４０４ａをセットした状態における回動規制リブ１２０２が収容されている下ケース５０２と集塵フィルター４０４の間の空間１３０３は、集塵フィルター４０４が広がらない空間であるので、回動規制リブ１２０２を設けことによる集塵容積の減少がなく、デットスペースを有効活用することができる。
【００２５】
図１３は図１０におけるＱ部の拡大図である。上述したようにクランプ５０４に袋支持部材４０４ａをセットした状態でも空間１３０３に回動規制リブ１２０２が収容されている。丸ボス１６０１は下ケース５０２と一体に設けており、下ケース５０２の補強と壁面部１３０２の補強の両方を兼ねている。
【００２６】
図１４は図１３において支持体５０３が回動した状態を示す図である。支持体５０３の回動規制リブ１２０２が下ケース５０２の壁面部１３０２に当接し支持体５０３の回動規制を行っている。この状態で支持体５０３を無理にＴ方向へ回動させようとした時に回動規制リブ１２０２の強度が問題になるが、回動規制リブ１２０２を支持体回動軸１３０１（図示せず）よりも吸込口側に設け下ケース５０２のデットスペースを有効活用しているので、補強リブ１７０１などを付けても集塵容積を減少させることがなく、容易に補強することができる。
【００２７】
本実施の形態においては、回動規制リブ１２０２を支持体５０３の幅方向両側に設けるようにしているが、必要に応じて片側だけに設けるようにしてもよい。この場合、下ケース５０２に形成する壁面部１３０２も片側だけでよい。
【００２８】
図１５は図６における支持体５０３である。支持体５０３は、この支持体５０３の前方左右対称一体に設けられた、弾性体１８０１により、Ｕ方向へ付勢されている。この際、左右均等な力が弾性体により付加されるので支持体は安定した回動ができる。そして、袋支持部材４０４ａをクランプ５０４から外すと集塵フィルター４０４は吸込口４０３と反対の方向へ回動するため集塵フィルター４０４の取り出し性が向上する。集塵フィルター４０４を取り外した状態で任意の位置に固定されるため、掃除機本体７０１が如何なる姿勢でも支持体５０３は任意の位置にあるため、使用者は片手で支持体５０３を保持して他方の手で集塵フィルター４０４を挿入するといった作業は必要なくなる。これにより、使用者は片手で容易に集塵フィルター４０４を掃除機本体７０１に装着することができる、使い勝手に優れた電気掃除機を提供することができる。
【００２９】
また、弾性体１８０１は支持体５０３と一体型と出来る為、従来のコイルバネを用いるものよりも製造時のバネの付け忘れに伴う不良や、コストを少なくすることができ、更に一体型のため、同一材料となるので、リサイクル性にも優れている。また、弾性体１８０１の先端を太くしたことにより、弾性体１８０１の先端が摩耗により減少しても影響の無いようにしている。
【図面の簡単な説明】
【００３０】
【図１】本発明の実施の形態の一例に係る電気掃除機本体の断面拡大図である。
【図２】本発明の実施の形態の一例に係る電気掃除機本体の断面拡大図である。
【図３】本発明の実施の形態の一例に係る電気掃除機本体の断面拡大図である。
【図４】本発明の実施の形態の一例に係る電気掃除機本体の断面図である。
【図５】本発明の実施の形態の一例に係る電気掃除機本体の断面拡大図である。
【図６】本発明の実施の形態の一例に係る電気掃除機本体の断面拡大図である。
【図７】本発明の実施の形態の一例に係る電気掃除機の全体外観図である。
【図８】図４におけるＡ−Ａ断面図である。
【図９】図４におけるＡ−Ａ断面拡大図である。
【図１０】図４におけるＰ視図である。
【図１１】図２におけるＳ部拡大図である。
【図１２】図２におけるＳ部拡大図である。
【図１３】図１０におけるＱ部拡大図である。
【図１４】図１０におけるＱ部拡大図である。
【図１５】本発明の実施の形態の一例に係る係る電気掃除機の支持体である。
【符号の説明】
【００３１】
１０１…上端部、１０２…支持体上部、３０１…傾斜部、３０２…支持体挟持部、４０１…電動送風機、４０２…集塵室、４０３…ホース接続部、４０４…集塵フィルター、４０４ａ…袋支持部材、４０４ｂ…袋部材、５０１…上ケース、５０２…下ケース、５０３…支持体、５０３ａ…前支持部、５０３ｂ…後支持部、５０４…クランプ、５０４ａ…クランプ爪、５０５…パッキン、６０１…クランプバネ、６０２…蓋体、６０３…当接リブ、７０１…掃除機本体、７０２…ホース継手、７０３…ホース、７０４…手元操作部、７０４ａ…スイッチ手段、７０５…延長管、７０６…吸口体、１１０１…塵埃吸入口、１１０２…塵埃吸入口外周、１２０１…水平方向中心位置、１２０２…回動規制リブ、１３０１…回動軸、１３０２…壁面、１３０３…空間、１３０４…リブ、１４０１…集塵フィルター側挟持部、１４０２…支持体側面、１４０３…集塵フィルター、１６０１…丸ボス、１８０１…弾性体。
【図１】
2005348977.tif 000003
【図２】
2005348977.tif 000004
【図３】
2005348977.tif 000005
【図４】
2005348977.tif 000006
【図５】
2005348977.tif 000007
【図６】
2005348977.tif 000008
【図７】
2005348977.tif 000009
【図８】
2005348977.tif 000010
【図９】
2005348977.tif 000011
【図１０】
2005348977.tif 000012
【図１１】
2005348977.tif 000013
【図１２】
2005348977.tif 000014
【図１３】
2005348977.tif 000015
【図１４】
2005348977.tif 000016
【図１５】
2005348977.tif 000017